(57)【要約】【課題】この発明は、家庭用の灯油容器から灯油を石油ストーブの給油タンクに移し変える時に、灯油が床面などにこぼれないようにすると共に、灯油容器を保管する場合の美観を備えた家庭用灯油容器のカバーに関するものである。【解決手段】カバー上面（１）に開口部（２）を設け、カバー端面（３）の外側に灯油垂れ防止シート（４）を備え、カバー端面（３）の内側に収納ポケット（６）を備えた、家庭用の灯油容器カバー。【選択図】    図１
2004299778.tif 000002
【特許請求の範囲】
【請求項１】
カバー上面（１）に開口部（２）を設け、カバー側壁（３）の外側に灯油垂れ防止シート（４）を備え、カバー側壁（３）の内側に収納ポケット（６）を備えた、家庭用の灯油容器カバー。
【発明の詳細な説明】
【０００１】
【発明の属する技術分野】
この発明は、家庭用の灯油容器から灯油を石油ストーブの給油タンク（１４）に移し変える時に、灯油が床面などにこぼれないようにすると共に、灯油容器（１１）を保管する場合の美観を備えた家庭用灯油容器のカバーに関するものである。
【０００２】
【従来の技術】
従来、灯油容器（１１）から石油ストーブの給油タンク（１４）に灯油を入れる時は灯油給油用のポンプ（１３）を用いて給油している。
【０００３】
【発明が解決しようとする課題】
灯油容器（１１）に入った灯油を石油ストーブの給油タンク（１４）に給油する場合、灯油給油用のポンプ（１３）を用いて給油している。この場合給油作業を終えて、石油ストーブの給油タンク（１４）から灯油給油用のポンプ（１３）の給油パイプを抜き出してポンプをしまう時に、灯油給油用のポンプ（１３）の給油パイプから灯油の垂れが生じ床面などを汚していた。
本発明は、上記の問題を解決するために床面などへの灯油の垂れを防止すると共に、移し変えた時に使用した灯油給油用のポンプ（１３）の保管場所として収納ポケット（６）を備えることにより給油時の作業性を良くすると共に、灯油の入った灯油容器（１１）の美観をよくして屋内、室内での保管に適した姿にすることを目的とした家庭用灯油容器のカバーを提供することである。
【０００４】
【課題を解決するための手段】
上記問題を解決するために、カバー上面（１）に開口部（２）を設け、カバー側壁（３）の外側に灯油垂れ防止シート（４）を備え、カバー側壁（３）の内側に収納ポケット（６）を備えた、家庭用の灯油容器カバー。
本発明は、以上のような構成からなる家庭用の灯油容器のカバーである。
【０００５】
【発明の実施の形態】
以下、本発明の実施の形態について説明する
（イ）下面を開放した箱型のカバーであって、カバー上面（１）の中央部片側寄りにカバーを持ち上げるための切れ込み（９）（９）、カバー上面（１）の端部からカバー側壁（３）の上端にかけて家庭用の灯油容器カバーの給油口を形成する開口部（２）を有する。
（ロ）開口部（２）の片側に直線状の切り込み（５ａ）（５ａ）と先端に∩部状の切欠（５ｂ）を設け、灯油容器の給油口（１２）の両側を覆い灯油容器の給油口のカバーとなる突出片（５）を形成する。
（ハ）カバー側壁（３）の上縁のカバーの開口部（２）の外側上縁に、裏面に耐水性のフィルムを貼りつけたシートであって、表面に灯油の吸収材を付着させるか、又は灯油の吸収機能を持つ灯油垂れ防止シート（４）を装着する。
（ニ）カバー上面（１）のカバーの開口部（２）であって、カバー側壁（３）の内側に灯油給油用のポンプ（１３）を収納する円筒状で下端を封鎖した収納ポケット（６）を設ける。
（ホ）収納ポケット（６）は、その底の部分に灯油吸着材（８）を備える。
（ヘ）灯油垂れ防止シート（４）の先端は、Ｕ字型の切欠（４ａ）を有し、その先端左右の下面に固定用の磁石（７）（７）を装着している。
【０００６】
本発明は以上のような構造で、通常は図６に示すように灯油容器（１１）に本発明を被せ、灯油容器の給油口（１２）の両側に突出片（５）を合わせる、そして灯油垂れ防止シート（４）を灯油容器カバーの上面に被せておく。石油ストーブの給油タンク（１４）に給油する場合は上面の灯油垂れ防止シート（４）を面ファスナー（１０）から外して反転させ、石油ストーブの給油タンクの給油口（１５）にセットする。又、（９）の切れこみを灯油容器の握り部に合わせることにより灯油容器カバーを被せたまま灯油容器を持ち運び出来る。
本発明を使用するときは、灯油垂れ防止シート（４）の先端のＵ字型の切欠部（４ａ）が石油ストーブの給油タンクの給油口（１５）に合う様にセットし、下面の固定用の磁石（７）（７）で固定する。灯油容器（１１）から灯油の移し変えに灯油給油用のポンプ（１３）を使う場合は、灯油の入っている灯油容器の給油口に吸入用のパイプを、石油ストーブの給油タンクの給油口（１５）には吐出側のパイプを夫々挿入する。
移し変え作業が終了し、石油ストーブの給油タンク（１４）から灯油給油用のポンプ（１３）のパイプを抜く時には、抜いたパイプの先端が灯油垂れ防止シート（４）の上を通過するように移動させ、吸入側のパイプと一緒に収納ポケット（６）に収納する。
灯油給油用のポンプ（１３）の取り外し作業が終了したら、灯油垂れ防止シート（４）を石油ストーブの給油タンク（１４）から取り外す。
灯油給油用のポンプを収納ポケット（６）に収納しないか又は収納ポケット（６）に収納した灯油給油用のポンプ（１３）の高さがカバー上面（１）の高さを超えない場合は、灯油垂れ防止シート（４）をカバー（１）の上に覆うように反転して置き、カバー上面（１）に有る灯油垂れ防止シート（４）の固定用の面ファスナー（１０）（１０）と灯油垂れ防止シート（４）の先端についている面ファスナー（１０）（１０）によりカバー上面（１）に固定することができる。
本発明は以上の構造、作用によって構成されるものであるが、本発明のカバーの材質は、使用時および保管時にインテリアとしての美観を備えることができるように、表面に印刷が可能で、任意のデザインによる図柄を印刷することができ、克つ汚れが付着し難い特性を持つポリエチレン等の耐油性、耐水性に優れた材質のもので作成される。
【０００７】
【発明の効果】
このようにする事により灯油容器から石油ストーブの給油タンクに灯油を移し変える時に、灯油が床面へ等にこぼれないようにし床面などの汚れ防止ができる。又、通常は灯油容器に被せておくので灯油容器を汚すことはないし、室内の美観も保てる。又屋外に置く場合このカバーを被せておくことにより灯油容器を日光や人の視線に直接晒すことも無くなり、保管上の安全性も保てる。
【図面の簡単な説明】
【図１】本発明の斜視図である
【図２】本発明の使用状態を示す斜視図である
【図３】本発明の横から見た使用状態の断面図である
【図４】本発明の横から見た使用状態の断面図である
【図５】本発明の平面図である
【図６】本発明の使用状態を示す斜視図である
【符号の説明】
１  カバー上面、  ２  開口部、  ３  カバー側壁、  ４  灯油垂れ防止シート、  ４ａ  Ｕ字型の切欠、  ５  突出片、  ５ａ  直線状の切欠、  ５ｂ  ∩部状の切欠、  ６収納ポケット、  ７  磁石、  ８  灯油吸着材、  ９  切れ込み、  １０  面ファスナー、  １１  灯油容器、  １２  灯油容器の給油口、  １３  灯油給油用のポンプ、  １４  石油ストーブの給油タンク  、    １５  給油タンクの給油口
【図１】
2004299778.tif 000003
【図２】
2004299778.tif 000004
【図３】
2004299778.tif 000005
【図４】
2004299778.tif 000006
【図５】
2004299778.tif 000007
【図６】
2004299778.tif 000008